(57)【特許請求の範囲】
【請求項１】
タンク部と、
前記タンク部の内部に貯蔵されたチキソトロピー性を有する延焼防止薬剤と、
前記延焼防止薬剤を放出する放出部と、
前記タンク部の内部で上下方向に延在し、前記延焼防止薬剤を前記放出部に誘導する誘導部と、
ガスにより前記誘導部を介して前記延焼防止薬剤を前記放出部から放出させる圧力をもたらす圧力手段と、を有した延焼防止薬剤タンクにおいて、
前記延焼防止薬剤に振動を与えて前記タンク部の下部へ移動させる振動機構を備えたことを特徴とする延焼防止薬剤タンク。
【請求項２】
前記振動機構は、前記延焼防止薬剤が放出される力により振動を生じることを特徴とする請求項１に記載の延焼防止薬剤タンク。
【請求項３】
前記振動機構は、前記誘導部の内部に繋がれた錘であることを特徴とする請求項２に記載の延焼防止薬剤タンク。
【請求項４】
前記振動機構は、前記タンク部の底部に振動を与えることにより開放される弁機構であることを特徴とする請求項１に記載の延焼防止薬剤タンク。
【請求項５】
タンク部と、前記タンク部の内部に貯蔵されたチキソトロピー性を有する延焼防止薬剤と、前記延焼防止薬剤を放出する放出部と、前記タンク部の内部に上下方向に延在し、前記タンク部の内部に貯蔵されている前記延焼防止薬剤を前記放出部に誘導する誘導部と、ガスにより前記誘導部を介して前記延焼防止薬剤を前記放出部から放出させる圧力をもたらす圧力手段と、を有した延焼防止薬剤タンクと、
前記延焼防止薬剤タンクに振動を与える振動機構と、
を備えたことを特徴とする延焼防止薬剤タンク設備。
【請求項６】
前記振動機構は、
前記延焼防止薬剤タンクを垂直に保持する、保持解除が可能な保持機構と、
前記保持解除の際に前記延焼防止薬剤タンクが落下して、前記延焼防止薬剤タンクの底部が衝突することにより前記延焼防止薬剤を振動させる衝突部と、
を備えることを特徴とする請求項５の延焼防止薬剤タンク設備。
【発明の詳細な説明】
【技術分野】
【０００１】
本発明は、火災が発生した際に火災部周辺に延焼を防止する延焼防止薬剤を散布したり、火災部に散布したりして消火する、延焼防止薬剤を備えた延焼防止薬剤タンクに関するものである。延焼防止薬剤は、火災部周辺に散布して可燃材に塗布することにより延焼を防止する機能を有するとともに、火災部に散布することにより消火する機能を有するものである。
【背景技術】
【０００２】
特開２０１４−１４４０１号公報（特許文献１）には、チキソトロピー性を有する延焼防止薬剤をスプリンクラヘッドから放出する消火設備が記載されている。延焼防止薬剤は消火用水と比べて流動性が低く火災部近傍に留まりやすいため、このような設置型の消火設備だけでなく、容量が限られている可搬型のタンクに詰めて消火器のように用いることが考えられる。例えば、消火器として使用した場合、チキソトロピー性を有する延焼防止薬剤であれば、放出後に高粘度となって放出した箇所に滞留することから、火源に対して放出したときに少ない水量で消火できるので、放出した延焼防止薬剤が水損を発生しにくいという利点がある。また、可燃物に対して、延焼防止を目的として可燃物とその周囲に放出した場合であっても、延焼防止薬剤が可燃物表面とその周囲で留まるので、延焼防止薬剤を大量にかけ続ける必要がないという利点がある。
【先行技術文献】
【特許文献】
【０００３】
【特許文献１】特開２０１４−１４４０１号公報
【発明の概要】
【発明が解決しようとする課題】
【０００４】
図４は、従来の延焼防止薬剤タンク１００の断面図であり、タンク中の延焼防止薬剤の様子を示す。延焼防止薬剤タンク１００の内部には上部空間６に圧縮ガスを充填した状態で延焼防止薬剤５が充填されている。延焼防止薬剤タンク１００の使用時には、圧縮ガスにより誘導管１０１を介して延焼防止薬剤５が放出される。
【０００５】
チキソトロピー性を有する延焼防止薬剤５は、延焼防止薬剤タンク１００の中では高粘度である。そのため延焼防止薬剤５を延焼防止薬剤タンク１００に詰めた際に延焼防止薬剤５の中にガスが入ると、気泡７としてそのまま留まってしまう。また、延焼防止薬剤５の上面８が図４のように傾いていると、重力で上面が水平になることはなく、そのままの形状で保持される。
【０００６】
気泡７がある状態で延焼防止薬剤タンク１００を使用すると、気泡７中の圧縮ガスが誘導管１０１を介して放出され、圧縮ガス放出の前後に延焼防止薬剤５を放出する圧力が変化して、放出が不連続になったり、方向が定まらなくなったりするなど、正常な放出パターンが得られなくなる。さらに、上面８が傾いていると、延焼防止薬剤５の放出が終了する前に圧縮ガスが放出されてしまい、延焼防止薬剤５を使い切ることができない可能性がある。
【０００７】
本発明は、チキソトロピー性を有する延焼防止薬剤を用いる延焼防止薬剤タンクにおいて、延焼防止薬剤をタンク内の下部に移動させ、圧縮ガスをタンク部上部へ移動させて気泡や延焼防止薬剤の上面傾斜を解消し、延焼防止薬剤タンク使用時に延焼防止薬剤が残留し難くすることを課題とする。
【課題を解決するための手段】
【０００８】
本発明は、上述した課題を解決するためのものであり、以下の構成を有する。
【０００９】
（１）本発明は、タンク部と、前記タンク部の内部に貯蔵されたチキソトロピー性を有する延焼防止薬剤と、前記延焼防止薬剤を放出する放出部と、前記タンク部の内部で上下方向に延在し、前記延焼防止薬剤を前記放出部に誘導する誘導部と、ガスにより前記誘導部を介して前記延焼防止薬剤を前記放出部から放出させる圧力をもたらす圧力手段と、を有した延焼防止薬剤タンクにおいて、前記延焼防止薬剤に振動を与えて前記タンク部の下部へ移動させる振動機構を備えたことを特徴とする延焼防止薬剤タンクである。
【００１０】
本発明によって、延焼防止薬剤タンク内部の延焼防止薬剤に気泡が入っていたり延焼防止薬剤の上面が傾いていたりしても、振動により延焼防止薬剤をタンク下部に移動させ、圧縮ガスをタンク部上部へ移動させることができる。そのため、延焼防止薬剤を放出する際に圧縮ガスの圧力を無駄に失うことがない。
【００１１】
（２）また、本発明は、前記振動機構は、前記延焼防止薬剤が放出される力により振動を生じることを特徴とする（１）に記載の延焼防止薬剤タンクである。
【００１２】
本発明によって、延焼防止薬剤が放出される際に、自動的に振動を発生させて、圧縮ガスをタンク部上部へ移動させることができる。
【００１３】
（３）また、本発明は、前記振動機構は、前記誘導部の内部に繋がれた錘であることを特徴とする（２）に記載の延焼防止薬剤タンクである。
【００１４】
本発明によって、錘により生じる延焼防止薬剤の乱流が誘導部内で錘を振動させ、錘が誘導部に衝突することによって誘導部が振動し、誘導部の外部に充填された延焼防止薬剤が振動して圧縮ガスが上部へ移動する。
【００１５】
（４）また、本発明は、前記振動機構は、前記タンク部の底部に振動を与えることにより開放される弁機構であることを特徴とする（１）に記載の延焼防止薬剤タンクである。
【００１６】
本発明によって、延焼防止薬剤を放出するために使用者がタンク部の底部に振動を与えることによって、タンク部内部の圧縮ガスを上方へ移動させることができる。
【００１７】
（５）また、本発明は、タンク部と、前記タンク部の内部に貯蔵されたチキソトロピー性を有する延焼防止薬剤と、前記延焼防止薬剤を放出する放出部と、前記タンク部の内部に上下方向に延在し、前記タンク部の内部に貯蔵されている前記延焼防止薬剤を前記放出部に誘導する誘導部と、ガスにより前記誘導部を介して前記延焼防止薬剤を前記放出部から放出させる圧力をもたらす圧力手段と、を有した延焼防止薬剤タンクと、
前記延焼防止薬剤タンクに振動を与える振動機構と、を備えたことを特徴とする延焼防止薬剤タンク設備である。
【００１８】
本発明によって、延焼防止薬剤タンクの外部構成により延焼防止薬剤タンクに振動を与えて、タンク部内の圧縮ガスを上方へ移動させることができる。
【００１９】
（６）また、本発明は、前記振動機構は、前記延焼防止薬剤タンクを垂直に保持する、保持解除が可能な保持機構と、前記保持解除の際に前記前記延焼防止薬剤タンクが落下して、前記前記延焼防止薬剤タンクの底部が衝突することにより前記延焼防止薬剤を振動させる衝突部と、を備えることを特徴とする（５）の延焼防止薬剤タンク設備である。
【００２０】
本発明によって、延焼防止薬剤タンクを使用する際に保持解除によって自動的に延焼防止薬剤が振動して、圧縮ガスが上方に移動する。
【発明の効果】
【００２１】
本発明によれば、延焼防止薬剤に振動を与えることにより、延焼防止薬剤の中に留まる圧縮ガスを上方へ移動させ、延焼防止薬剤の上面を水平にして、圧縮ガスによる圧力が無駄に低下しないようにすることができる。
【図面の簡単な説明】
【００２２】
【図１】本発明の実施例１である延焼防止薬剤タンク１を示す図。
【図２】本発明の実施例２である延焼防止薬剤タンク２を示す図。
【図３】本発明の実施例３である延焼防止薬剤タンク設備を示す図。
【図４】従来の延焼防止薬剤タンク１００の断面図。
【発明を実施するための形態】
【００２３】
以下、本発明の実施の形態を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
【実施例１】
【００２４】
図１は、本発明の実施例１である延焼防止薬剤タンク１を示す。図１（ａ）は延焼防止薬剤タンク１の外観図である。延焼防止薬剤タンク１は、タンク部１１，蓋１２，誘導管１３，注入管１４，放出弁部１５、放出ホース１６、放出部１７から構成され、タンク部１１の表面には目盛り１８が付されている。放出弁部１５は内部に弁機構である放出弁を備えている。
【００２５】
タンク部１１には、アクリルやポリカーボネイト等の強度の高い透明樹脂を用いており、延焼防止薬剤タンク１中の延焼防止薬剤５の様子を確認することができる。タンク部１１の上部は蓋１２により閉じられ、蓋１２には誘導部である誘導管１３と注入管１４が貫通している。誘導管１３の上部は、放出弁部１５を介して放出ホース１６に接続されている。放出ホース１６は柔軟性を有し、先端に放出部１７が設けられている。誘導管１３は、従来例の図４と同様にタンク部１１の内部で上下方向に延在し、タンク部１１の内部に貯蔵されている延焼防止薬剤５を、放出弁部１５と放出ホース１６を介して放出部１７に誘導する。注入管１４の内部には逆止弁（図示せず）が設けられている。
【００２６】
延焼防止薬剤タンク１の内部には延焼防止薬剤５が貯蔵されている。延焼防止薬剤５は、コロイド性含水ケイ酸塩を含む鉱物（スメクタイト、ベントナイト及びモンモリロナイト等）やケイ酸塩からなる合成無機高分子化合物等を粉末状態とし、水と所定の割合で混合した混合物であり、チキソトロピー性を有している。延焼防止薬剤５における合成無機高分子化合物の混合割合は、例えば、０．１〜２０％である。
【００２７】
また、延焼防止薬剤５は各種顔料（例えば、遮光性顔料である酸化第二鉄、カーボンブラック等）によって暗色に着色されている。近年では建築物の表面は明色であることが多いため、この暗色はＬａｂ表色系で明度Ｌが３０以下の暗色であることが視認性から見て望ましい。延焼防止薬剤５の上部空間６には、圧縮ガスが充填されて圧力手段となっている。
【００２８】
延焼防止薬剤タンク１には次のようにして延焼防止薬剤５が充填される。
まず、タンク部１１の上部から延焼防止薬剤５を投入する。次に、誘導管１３と注入管１４が固定された蓋１２によりタンク部１１の上部を封止する。そして、延焼防止薬剤タンク１の内部に注入管１４から圧縮ガスを送り込んで、加圧状態とする。注入管１４には逆止弁が設けられているため加圧状態が保たれるが、定期点検時に圧力を検査するとともに不足した圧縮ガスを充填することが望ましい。
なお、延焼防止薬剤５は投入される時点では流動性を有するが、タンク部１１内に投入された直後から粘度を増すことによって、充填時に隙間を生じる場合があり、これにより延焼防止薬剤５の上面８が水平面になりにくくなる。
【００２９】
火災が発生した際には、放出弁部１５の放出弁を開くことにより、上部空間６に充填されている圧縮ガスによって延焼防止薬剤５が誘導管１３の内部へ押し出される。これにより剪断応力が生じるため延焼防止薬剤５が流動化し、放出部１７から放出される。
【００３０】
しかしながら、図１に示すように延焼防止薬剤５の内部に気泡７がある状態で放出弁を開くと、気泡７内の圧縮ガスが早い段階で放出されてしまい、延焼防止薬剤タンク１の内部圧力が著しく低下する。また、気泡７が多数あると、気泡７中の圧縮ガス放出の前後に延焼防止薬剤５の放出圧力が変化して、散布方向が定まらなくなる。
【００３１】
さらに、延焼防止薬剤５の上面８が図１のように傾いていると、延焼防止薬剤５が全て放出される前に圧縮ガスが放出される可能性があり、その場合には延焼防止薬剤５を残らず利用することができない。
【００３２】
図１（ｂ）は、誘導管１３の断面図である。誘導管１３の内部には線材であるワイヤー１３１が取り付けられ、ワイヤー１３１の先端には錘１３２が取り付けられており、錘１３２が誘導管１３の内部に繋がれている。放出弁が解放されると圧縮ガスの力により誘導管１３内に延焼防止薬剤５が移動し、剪断応力の発生により延焼防止薬剤５が液状化する。延焼防止薬剤５が誘導管１３内を上方に流動すると錘１３２の近傍に乱流を生じて、錘１３２が振動する。そして、錘１３２が誘導管１３の壁に連続的に衝突して誘導管１３が振動する。誘導管１３の振動は、管外の延焼防止薬剤５に伝わり、延焼防止薬剤５の液状化を促進して気泡７を上方へ移動させる。誘導管１３が共振するように錘１３２の重さと取付け位置等を設定すれば、延焼防止薬剤５をさらに効率的に液状化することができる。
【００３３】
誘導管１３には、外面にフィンなどを取り付けて振動を延焼防止薬剤５に伝わりやすくしてもよい。また、錘１３２の機構以外にも、誘導管１３を特殊形状としたり、誘導管１３の内部における乱流を直接的に利用したりするなど、種々の機構を用いて誘導管１３を振動させることができる。なお、タンク部１１を実施例１のように透明にすれば、気泡７や上面８の状態を見て延焼防止薬剤５の液状化を確認しながら延焼防止薬剤タンク１を使用することができる。
【実施例２】
【００３４】
図２は、本発明の実施例２である延焼防止薬剤タンク２を示す。
延焼防止薬剤タンク２は、実施例１と同様にタンク部２１、蓋２２、誘導管２３、注入管２４、放出弁部２５、放出ホース２６、放出部２７、目盛り２８を備えている。タンク部２１は透明材質で形成され、放出弁部２５は内部に弁機構である放出弁を備えている。実施例２の延焼防止薬剤タンク２では、持ち手２９を記載した。
【００３５】
放出弁部２５は錘（図示せず）を内蔵しており、振動を与えることにより放出弁が開放される。延焼防止薬剤タンク２の使用者は、持ち手２９により延焼防止薬剤タンク２を持ち上げた後、降り下ろしてタンク底部２１１を床に衝突させる。この衝突の振動により放出弁部２５内部の錘が移動し、放出弁を開放する。そして、床に衝突させた際の振動により気泡７が上方へ移動し、上面８が水平状態になる。振動を与えることにより放出弁が開放される放出弁部２５は振動を誘起する構成であり、これも振動機構である。
【００３６】
実施例２では放出弁の開放のために錘を用いたが、加速度センサー等を用いてもよい。また、錘等の位置は放出弁の近傍でなくてもよい。使用時に床に衝突させるようにすればよく、延焼防止薬剤タンク２の底部に圧力感知機構を設けて、圧力が検知された際に放出弁を開放するようにしてもよい。さらに、延焼防止薬剤５の移動を確実にすべく床への衝突を複数回とするために、加速度センサー等が複数回検知した後に放出弁を開放するようにしても良い。また、タンク部２１が損傷しないように、底部にはゴム板等を取り付けておいてもよい。実施例２では実施例１と同様にタンク部２１には強度の高い透明樹脂を用いているが、実施例１，２はともにタンクの材質として不透明な樹脂を用いてもよく、金属等の他の材質を用いてもよい。またタンク底部は、自立性のある花弁形状等でもよい。
【実施例３】
【００３７】
図３は、本発明の実施例３である延焼防止薬剤タンク設備を示す。
延焼防止薬剤タンク設備は、延焼防止薬剤タンク３と、振動機構としての保管庫４から形成される。延焼防止薬剤タンク３は、実施例１，２と同様にタンク部３１、蓋３２、誘導管３３（図示せず）、注入管３４、放出弁部３５、放出ホース３６、放出部３７を備えている。また、保管庫４は、スイッチ４１、保持機構である保持部４２、扉４３と衝突部である下板４４を備えている。タンク部３１には不透明な材質を用いている。
【００３８】
延焼防止薬剤タンク３は、蓋３２で保持部４２により垂直に保持され、その下部に空間４５を設けている。また、扉４３には透明板を用いている。
【００３９】
延焼防止薬剤タンク３を使用する際には、保管庫４のスイッチ４１を操作する。これにより保持部４２が蓋３２を開放して保持解除が行われ、延焼防止薬剤タンク３が落下する。そうすると、下板４４にタンク底部３１１が衝突して延焼防止薬剤タンク３内の延焼防止薬剤５に下方から振動が伝わる。これにより、延焼防止薬剤５は下方へ移動し、気泡は上昇して上部空間に達して消滅するとともに、延焼防止薬剤５の上面は水平になる。扉４３は保持解除の後に延焼防止薬剤タンク３が倒れないように支える。使用者は、扉４３を開けて延焼防止薬剤タンク３を取り出して使用する。
【００４０】
なお、下板４４にはゴム板を設けて、延焼防止薬剤タンク３が複数回弾むようにしてもよい。これにより、延焼防止薬剤タンク３に複数回の振動を与えて、延焼防止薬剤５等の移動を確実にすることができる。扉４３は落下時に延焼防止薬剤タンク３が倒れないように支えるが、他の転倒防止機構を設けてもよい。また、実施例３において扉４３には透明板を用いているが、不透明であってもよい。
【００４１】
実施例３のタンク部３１は不透明な材質を用いているが、実施例１，２と同様に透明な材質としてもよく、目盛りを設けても良い。実施例１〜３では、延焼防止薬剤タンクに圧縮ガスを封入しているが、延焼防止薬剤を加圧するガスを得られればよく、ガス発生器や圧縮ガスを封入したタンクを用いてもよい。
【符号の説明】
【００４２】
１  延焼防止薬剤タンク、１１  タンク部、１２  蓋、１３  誘導管、１３１  ワイヤー、１３２  錘、１４  注入管、１５  放出弁部、１６  放出ホース、１７  放出部、１８  目盛り、２  延焼防止薬剤タンク、２１  タンク部、２１１  タンク底部、２２  蓋、２３  誘導管、２４  注入管、２５  放出弁部、２６  放出ホース、２７  放出部、２８  目盛り、２９  持ち手、３  延焼防止薬剤タンク、３１  タンク部、３１１  タンク底部、３２  蓋、３３  誘導管、３４  注入管、３５  放出弁部、３６  放出ホース、３７  放出部、４  保管庫、４１  スイッチ、４２  保持部、４３  扉、４４  下板、４５  空間、５  延焼防止薬剤、６  上部空間、７  気泡、８  上面、１００  延焼防止薬剤タンク、１０１  誘導管
【図１】
0006622657.tif 000002
【図２】
0006622657.tif 000003
【図３】
0006622657.tif 000004
【図４】
0006622657.tif 000005